(57)【特許請求の範囲】
【請求項１】
稀溶液ライン（Ｌ１）は低温溶液熱交換器（８）と中温溶液熱交換器（９）を経由して、中温溶液熱交換器（９）と高温溶液熱交換器（１０）との間で、高温溶液熱交換器（１０）及び高温再生器（１）に連通する溶液ライン（Ｌ２）と中温再生器（２）へ連通する溶液ライン（Ｌ３）とに分岐しており、高温再生器（１）で濃縮された吸収溶液は高温溶液熱交換器（１０）を経由して第４の再生器（４）に供給され、中温再生器（２）で濃縮された吸収溶液は中温溶液熱交換器（９）を経由して低温再生器（３）内へ供給され、低温再生器（３）で濃縮された吸収溶液は第４の再生器（４）内へ供給され、第４の再生器（４）で濃縮された吸収溶液は低温溶液熱交換器（８）を経由して吸収器（７）へ供給され、高温再生器（１）で発生した冷媒蒸気は、中温再生器（２）を経由してから第４の再生器（４）内の溶液と熱交換を行い、気液２相流或いは液相冷媒となって凝縮器（５）に供給される様に構成されており、稀溶液ライン（Ｌ１）の低温溶液熱交換器（８）と中温溶液熱交換器（９）の間の領域には、排熱ライン（Ｌ５０）を流れる流体が保有する排熱を稀溶液ライン（Ｌ１）を流れる稀溶液に投入する排熱熱交換器（５０）が介装されていることを特徴とする吸収冷温水機。
【請求項２】
稀溶液ライン（Ｌ１）は低温溶液熱交換器（８）と中温溶液熱交換器（９）で経由して、中温溶液熱交換器（９）と高温溶液熱交換器（１０）との間で、高温溶液熱交換器（１０）及び高温再生器（１）に連通する溶液ライン（Ｌ２）と中温再生器（２）へ連通する溶液ライン（Ｌ３）とに分岐しており、高温再生器（１）で濃縮された吸収溶液は高温溶液熱交換器（１０）を経由して第４の再生器（４）に供給され、中温再生器（２）で濃縮された吸収溶液は中温溶液熱交換器（９）を経由して低温再生器（３）内へ供給され、低温再生器（３）で濃縮された吸収溶液は第４の再生器（４）内へ供給され、第４の再生器（４）で濃縮された吸収溶液は低温溶液熱交換器（８）を経由して吸収器（７）へ供給され、高温再生器（１）で発生した冷媒蒸気が流れるライン（Ｌ２０）は中温再生器（２）へ連通するライン（Ｌ３０）と第４の再生器（４）へ連通するライン（Ｌ３２）とに分岐しており、中温再生器（２）へ連通するライン（Ｌ３０）を流れる冷媒蒸気は中温再生器（２）内の溶液と熱交換を行って再生せしめ、液相冷媒、気液２相冷媒、気相冷媒のいずれかとなり、溶液ドレン熱交換器（１１）で稀溶液ライン（Ｌ１）を流れる稀溶液と熱交換を行って凝縮器（５）へ供給され、第４の再生器（４）へ連通するライン（Ｌ３２）を流れる冷媒蒸気は第４の再生器（４）内の溶液と熱交換を行って再生せしめた後、液相冷媒、気液２相冷媒、気相冷媒のいずれかとなって凝縮器（５）へ供給される様に構成されており、稀溶液ライン（Ｌ１）の低温溶液熱交換器（８）と溶液ドレン熱交換器（１１）の間の領域には、排熱ライン（Ｌ５０）を流れる流体が保有する排熱を稀溶液ライン（Ｌ１）を流れる稀溶液に投入する排熱熱交換器（５０）が介装されていることを特徴とする吸収冷温水機。
【請求項３】
稀溶液ライン（Ｌ１）は低温溶液熱交換器（８）、第２の中温溶液熱交換器（９）、第１の中温溶液熱交換器（９）、高温溶液熱交換器（１０）を経由して高温再生器（１）に連通しており、高温再生器（１）で濃縮された吸収溶液は高温溶液熱交換器（１０）を経由して中温再生器（２）に供給され、中温再生器（２）で濃縮された吸収溶液は第１の中温溶液熱交換器（９）を経由して低温再生器（３）内へ供給され、低温再生器（３）で濃縮された吸収溶液は第２の中温溶液熱交換器（９）を経由して第４の再生器（４）内へ供給され、第４の再生器（４）で濃縮された吸収溶液は低温溶液熱交換器（８）を経由して吸収器（７）へ供給され、高温再生器（１）で発生した冷媒蒸気は、中温再生器（２）を経由してから第４の再生器（４）内の溶液と熱交換を行い、気液２相流或いは液相冷媒となって凝縮器（５）に供給される様に構成されており、稀溶液ライン（Ｌ１）の低温溶液熱交換器（８）と第２の中温溶液熱交換器（９）の間の領域には、排熱ライン（Ｌ５０）を流れる流体が保有する排熱を稀溶液ライン（Ｌ１）を流れる稀溶液に投入する排熱熱交換器（５０）が介装されていることを特徴とする吸収冷温水機。
【請求項４】
稀溶液ライン（Ｌ１）は低温溶液熱交換器（８）、第２の中温溶液熱交換器（９）、第１の中温溶液熱交換器（９）、高温溶液熱交換器（１０）を経由して高温再生器（１）に連通しており、高温再生器（１）で濃縮された吸収溶液は高温溶液熱交換器（１０）を経由して中温再生器（２）に供給され、中温再生器（２）で濃縮された吸収溶液は第１の中温溶液熱交換器（９）を経由して低温再生器（３）内へ供給され、低温再生器（３）で濃縮された吸収溶液は第２の中温溶液熱交換器（９Ａ）を経由して第４の再生器（４）内へ供給され、第４の再生器（４）で濃縮された吸収溶液は低温溶液熱交換器（８）を経由して吸収器（７）へ供給され、高温再生器（１）で発生した冷媒蒸気が流れるライン（Ｌ２０）は中温再生器（２）へ連通するライン（Ｌ３０）と第４の再生器（４）へ連通するライン（Ｌ３２）とに分岐しており、中温再生器（２）へ連通するライン（Ｌ３０）を流れる冷媒蒸気は中温再生器（２）内の溶液と熱交換を行って再生せしめ、液相冷媒、気液２相冷媒、気相冷媒のいずれかとなり、溶液ドレン熱交換器（１１）で稀溶液ライン（Ｌ１）を流れる稀溶液と熱交換を行って凝縮器（５）へ供給され、第４の再生器（４）へ連通するライン（Ｌ３２）を流れる冷媒蒸気は第４の再生器（４）内の溶液と熱交換を行って再生せしめた後、液相冷媒、気液２相冷媒、気相冷媒のいずれかとなって凝縮器（５）へ供給される様に構成されており、稀溶液ライン（Ｌ１）の低温溶液熱交換器（８）と第２の中温溶液熱交換器（９Ａ）の間の領域には、排熱ライン（Ｌ５０）を流れる流体が保有する排熱を稀溶液ライン（Ｌ１）を流れる稀溶液に投入する排熱熱交換器（５０）が介装されていることを特徴とする吸収冷温水機。
【請求項５】
稀溶液ライン（Ｌ１）は、低温溶液熱交換器（８）と中温溶液熱交換器（９）の間の第１の分岐点（ＢＰ−３）で、低温再生器（３）へ連通する溶液ライン（Ｌ３６）と、中温再生器（２）或いは高温再生器（１）へ連通するライン（Ｌ３５）とに分岐しており、中温再生器（２）或いは高温再生器（１）へ連通する前記ライン（Ｌ３５）は、中温溶液熱交換器（９）と高温溶液熱交換器（１０）の間の第２の分岐点（ＢＰ）で、中温再生器（２）へ連通するライン（Ｌ３）と、高温溶液熱交換器（１０）及び高温再生器（１）へ連通するライン（Ｌ２）とに分岐しており、高温再生器（１）で濃縮された吸収溶液は高温溶液熱交換器（１０）を経由して第４の再生器（４）に供給され、中温再生器（２）で濃縮された吸収溶液は中温溶液熱交換器（９）を経由して第４の再生器（４）に供給され、低温再生器（３）で濃縮された吸収溶液は第４の再生器（４）内へ供給され、第４の再生器（４）で濃縮された吸収溶液は低温溶液熱交換器（８）を経由して吸収器（７）へ供給され、高温再生器（１）で発生した冷媒蒸気は、中温再生器（２）を経由してから第４の再生器（４）内の溶液と熱交換を行い、気液２相流或いは液相冷媒となって凝縮器（５）に供給される様に構成されており、稀溶液ライン（Ｌ１）の低温溶液熱交換器（８）と前記第１の分岐点の間の領域には、排熱ライン（Ｌ５０）を流れる流体が保有する排熱を稀溶液ライン（Ｌ１）を流れる稀溶液に投入する排熱熱交換器（５０）が介装されていることを特徴とする吸収冷温水機。
【請求項６】
稀溶液ライン（Ｌ１）は、低温溶液熱交換器（８）と中温溶液熱交換器（９）の間で、低温再生器（３）へ連通する溶液ライン（Ｌ３６）と、中温再生器（２）或いは高温再生器（１）へ連通するライン（Ｌ３５）とに分岐しており、中温再生器（２）或いは高温再生器（１）へ連通する前記ライン（Ｌ３５）は、中温溶液熱交換器（９）と高温溶液熱交換器（１０）の間で、中温再生器（２）へ連通するライン（Ｌ３）と、高温溶液熱交換器（１０）及び高温再生器（１）へ連通するライン（Ｌ２）とに分岐しており、高温再生器（１）で濃縮された吸収溶液は高温溶液熱交換器（１０）を経由して第４の再生器（４）に供給され、中温再生器（２）で濃縮された吸収溶液は中温溶液熱交換器（９）を経由して第４の再生器（４）に供給され、低温再生器（３）で濃縮された吸収溶液は第４の再生器（４）内へ供給され、第４の再生器（４）で濃縮された吸収溶液は低温溶液熱交換器（８）を経由して吸収器（７）へ供給され、高温再生器（１）で発生した冷媒蒸気が流れるライン（Ｌ２０）は中温再生器（２）へ連通するライン（Ｌ３０）と第４の再生器（４）へ連通するライン（Ｌ３２）とに分岐しており、中温再生器（２）へ連通するライン（Ｌ３０）を流れる冷媒蒸気は中温再生器（２）内の溶液と熱交換を行って再生せしめ、液相冷媒、気液２相冷媒、気相冷媒のいずれかとなり、溶液ドレン熱交換器（１１）で稀溶液ライン（Ｌ１）を流れる稀溶液と熱交換を行って凝縮器（５）へ供給され、第４の再生器（４）へ連通するライン（Ｌ３２）を流れる冷媒蒸気は第４の再生器（４）内の溶液と熱交換を行って再生せしめた後、液相冷媒、気液２相冷媒、気相冷媒のいずれかとなって凝縮器（５）へ供給される様に構成されており、稀溶液ライン（Ｌ１）の低温溶液熱交換器（８）と溶液ドレン熱交換器（１１）の間の領域には、排熱ライン（Ｌ５０）を流れる流体が保有する排熱を稀溶液ライン（Ｌ１）を流れる稀溶液に投入する排熱熱交換器（５０）が介装されていることを特徴とする吸収冷温水機。
【請求項７】
稀溶液ライン（Ｌ１）を流れる稀溶液は低温溶液熱交換器（８）及び中温溶液熱交換器（９）を経由して低温再生器（３）へ供給され、低温再生器（３）で濃縮された吸収溶液は中温溶液熱交換器（９）を経由して中温再生器（２）へ供給され、中温再生器（２）で濃縮された吸収溶液は高温溶液熱交換器（１０）を経由して高温再生器（１）へ供給され、高温再生器（１）で濃縮された吸収溶液は高温溶液熱交換器（１０）を経由して第４の再生器（４）に供給され、第４の再生器（４）で濃縮された吸収溶液は低温溶液熱交換器（８）を経由して吸収器（７）へ供給され、高温再生器（１）で発生した冷媒蒸気は、中温再生器（２）を経由してから第４の再生器（４）内の溶液と熱交換を行い、気液２相流或いは液相冷媒となって凝縮器（５）に供給される様に構成されており、稀溶液ライン（Ｌ１）の低温溶液熱交換器（８）と中温溶液熱交換器（９）の間の領域には、排熱ライン（Ｌ５０）を流れる流体が保有する排熱を稀溶液ライン（Ｌ１）を流れる稀溶液に投入する排熱熱交換器（５０）が介装されていることを特徴とする吸収冷温水機。
【請求項８】
稀溶液ライン（Ｌ１）を流れる稀溶液は低温溶液熱交換器（８）及び中温溶液熱交換器（９）を経由して低温再生器（３）へ供給され、低温再生器（３）で濃縮された吸収溶液は中温溶液熱交換器（９）を経由して中温再生器（２）へ供給され、中温再生器（２）で濃縮された吸収溶液は高温溶液熱交換器（１０）を経由して高温再生器（１）へ供給され、高温再生器（１）で濃縮された吸収溶液は高温溶液熱交換器（１０）を経由して第４の再生器（４）に供給され、第４の再生器（４）で濃縮された吸収溶液は低温溶液熱交換器（８）を経由して吸収器（７）へ供給され、高温再生器（１）で発生した冷媒蒸気が流れるライン（Ｌ２０）は中温再生器（２）へ連通するライン（Ｌ３０）と第４の再生器（４）へ連通するライン（Ｌ３２）とに分岐しており、中温再生器（２）へ連通するライン（Ｌ３０）を流れる冷媒蒸気は中温再生器（２）内の溶液と熱交換を行って再生せしめ、液相冷媒、気液２相冷媒、気相冷媒のいずれかとなり、溶液ドレン熱交換器（１１）で稀溶液ライン（Ｌ１）を流れる稀溶液と熱交換を行って凝縮器（５）へ供給され、第４の再生器（４）へ連通するライン（Ｌ３２）を流れる冷媒蒸気は第４の再生器（４）内の溶液と熱交換を行って再生せしめた後、液相冷媒、気液２相冷媒、気相冷媒のいずれかとなって凝縮器（５）へ供給される様に構成されており、稀溶液ライン（Ｌ１）の低温溶液熱交換器（８）と中温溶液熱交換器（９）の間の領域には、排熱ライン（Ｌ５０）を流れる流体が保有する排熱を稀溶液ライン（Ｌ１）を流れる稀溶液に投入する排熱熱交換器（５０）が介装されていることを特徴とする吸収冷温水機。
【請求項９】
稀溶液ライン（Ｌ１）は低温溶液熱交換器（８）と中温溶液熱交換器（９）を経由して、中温溶液熱交換器（９）と高温溶液熱交換器（１０）との間で、高温溶液熱交換器（１０）及び高温再生器（１）に連通する溶液ライン（Ｌ３９）と低温再生器（３）へ連通する溶液ライン（Ｌ４０）とに分岐しており、低温再生器（３）で濃縮された吸収溶液は中温溶液熱交換器（９）を経由して中温再生器（２）へ供給され、中温再生器（２）で濃縮された吸収溶液は高温溶液熱交換器（１０）を経由して高温再生器（１）へ供給され、高温再生器（１）で濃縮された吸収溶液は高温溶液熱交換器（１０）を経由して第４の再生器（４）に供給され、高温再生器（１）で発生した冷媒蒸気は、中温再生器（２）を経由してから第４の再生器（４）内の溶液と熱交換を行い、気液２相流或いは液相冷媒となって凝縮器（５）に供給される様に構成されており、稀溶液ライン（Ｌ１）の低温溶液熱交換器（８）と中温溶液熱交換器（９）の間の領域には、排熱ライン（Ｌ５０）を流れる流体が保有する排熱を稀溶液ライン（Ｌ１）を流れる稀溶液に投入する排熱熱交換器（５０）が介装されていることを特徴とする吸収冷温水機。
【請求項１０】
稀溶液ライン（Ｌ１）は低温溶液熱交換器（８）と中温溶液熱交換器（９）を経由して、中温液熱交換器と高温溶液熱交換器（１０）との間で、高温溶液熱交換器（１０）及び高温再生器（１）に連通する溶液ライン（Ｌ３９）と、溶液ドレン熱交換器（１１）及び低温再生器（３）へ連通する溶液ライン（Ｌ４０）とに分岐しており、低温再生器（３）で濃縮された吸収溶液は中温溶液熱交換器（９）を経由して中温再生器（２）へ供給され、中温再生器（２）で濃縮された吸収溶液は高温溶液熱交換器（１０）を経由して高温再生器（１）へ供給され、高温再生器（１）で濃縮された吸収溶液は高温溶液熱交換器（１０）を経由して第４の再生器（４）に供給され、高温再生器（１）で発生した冷媒蒸気が流れるライン（Ｌ２０）は中温再生器（２）へ連通するライン（Ｌ３０）と第４の再生器（４）へ連通するライン（Ｌ３２）とに分岐しており、中温再生器（２）へ連通するライン（Ｌ３０）を流れる冷媒蒸気は中温再生器（２）内の溶液と熱交換を行って再生せしめ、液相冷媒、気液２相冷媒、気相冷媒のいずれかとなり、溶液ドレン熱交換器（１１）を経由して凝縮器（５）へ供給され、第４の再生器（４）へ連通するライン（Ｌ３２）を流れる冷媒蒸気は第４の再生器（４）内の溶液と熱交換を行って再生せしめた後、液相冷媒、気液２相冷媒、気相冷媒のいずれかとなって凝縮器（５）へ供給される様に構成されており、稀溶液ライン（Ｌ１）の低温溶液熱交換器（８）と中温溶液熱交換器（９）の間の領域には、排熱ライン（Ｌ５０）を流れる流体が保有する排熱を稀溶液ライン（Ｌ１）を流れる稀溶液に投入する排熱熱交換器（５０）が介装されていることを特徴とする吸収冷温水機。
【請求項１１】
稀溶液ライン（Ｌ１）は低温溶液熱交換器（８）と中温溶液熱交換器（９）を経由して、中温溶液熱交換器（９）と高温溶液熱交換器（１０）との間で、溶液ドレン熱交換器（１１）、高温溶液熱交換器（１０）、高温再生器（１）に連通する溶液ライン（Ｌ３９）と、低温再生器（３）へ連通する溶液ライン（Ｌ４０）とに分岐しており、低温再生器（３）で濃縮された吸収溶液は中温溶液熱交換器（９）を経由して中温再生器（２）へ供給され、中温再生器（２）で濃縮された吸収溶液は高温溶液熱交換器（１０）を経由して高温再生器（１）へ供給され、高温再生器（１）で濃縮された吸収溶液は高温溶液熱交換器（１０）を経由して第４の再生器（４）に供給され、高温再生器（１）で発生した冷媒蒸気が流れるライン（Ｌ２０）は中温再生器（２）へ連通するライン（Ｌ３０）と第４の再生器（４）へ連通するライン（Ｌ３２）とに分岐しており、中温再生器（２）へ連通するライン（Ｌ３０）を流れる冷媒蒸気は中温再生器（２）内の溶液と熱交換を行って再生せしめ、液相冷媒、気液２相冷媒、気相冷媒のいずれかとなり、溶液ドレン熱交換器（１１）を経由して凝縮器（５）へ供給され、第４の再生器（４）へ連通するライン（Ｌ３２）を流れる冷媒蒸気は第４の再生器（４）内の溶液と熱交換を行って再生せしめた後、液相冷媒、気液２相冷媒、気相冷媒のいずれかとなって凝縮器（５）へ供給される様に構成されており、稀溶液ライン（Ｌ１）の低温溶液熱交換器（８）と中温溶液熱交換器（９）の間の領域には、排熱ライン（Ｌ５０）を流れる流体が保有する排熱を稀溶液ライン（Ｌ１）を流れる稀溶液に投入する排熱熱交換器（５０）が介装されていることを特徴とする吸収冷温水機。
【請求項１２】
高温再生器（１）で発生した冷媒蒸気は、第４の再生器（４）内の溶液と熱交換を行って再生せしめた後、溶液ドレン熱交換器（１１）で稀溶液ライン（Ｌ１）を流れる稀溶液と熱交換を行ってから凝縮器（５）に供給される様に構成されている請求項１、３、５、７、９の吸収冷温水機。
【請求項１３】
第４の再生器（４）へ連通するラインを流れる冷媒蒸気は第４の再生器（４）内の溶液と熱交換を行って再生せしめた後、第２の溶液ドレン熱交換器（１１）で稀溶液ライン（Ｌ１）を流れる稀溶液と熱交換を行ってから凝縮器（５）へ供給される請求項２、４、６、８、１０、１１の吸収冷温水機。
【請求項１４】
高温再生器（１）で発生した冷媒蒸気が流れる配管における中温再生器（２）と第４の再生器（４）内との間の領域に、流量調整弁（Ｖ１）を介装した請求項１、３、５、７、９、１２の吸収冷温水機。
【請求項１５】
高温再生器（１）で発生した冷媒蒸気が流れるライン（Ｌ２０）は中温再生器（２）へ連通するライン（Ｌ３０）と第４の再生器（４）へ連通するライン（Ｌ３２）とに分岐しており、第４の再生器（４）へ連通するライン（Ｌ３２）における分岐点（ＢＰ−２）と第４の再生器（４）との間の領域に、流量調整弁（Ｖ２）を介装した請求項２、４、６、８、１０、１１、１３の吸収冷温水機。
【請求項１６】
高温再生器（１）で発生した蒸気が流れるライン（Ｌ２０）は、中温再生器（２）或いは第４の再生器（４）に連通するライン（Ｌ３０）と、蒸発器に連通するライン（Ｌ１２８）とに分岐しており、蒸発器に連通する前記ライン（Ｌ１２８）に冷暖切換弁（Ｖ３）が介装されている請求項１−１５のいずれか１項の吸収冷温水機。
【発明の詳細な説明】
【０００１】
【発明の属する技術分野】
本発明は吸収冷温水機に関し、特に、三重効用吸収冷温水機に関する。
【０００２】
【従来の技術】
三重効用吸収冷温水機としての高効率を維持しつつ、高温再生器の腐食を防止するため、本出願人に、図２７で示す様な吸収冷温水機を提案している（本出願人により、特願平１１−４１９３号で開示された技術）。
【０００３】
図２７において、吸収器７からの稀溶液ラインＬ１は、低温溶液熱交換器８と中温溶液熱交換器９を経由して、中温溶液熱交換器９と高温溶液熱交換器１０との間の分岐点ＢＰで、高温溶液熱交換器１０及び高温再生器１に連通する溶液ラインＬ２と、中温再生器２へ連通する溶液ラインＬ３とに分岐している。
【０００４】
高温再生器１で濃縮された吸収溶液は溶液ラインＬ４を流れ、高温溶液熱交換器１０を経由して第４の再生器４に供給される。中温再生器２で濃縮された吸収溶液は溶液ラインＬ５を流れ、中温溶液熱交換器９を経由して、低温再生器３内へ供給される。低温再生器３で濃縮された吸収溶液は溶液ラインＬ６を流れ、第４の再生器４内へ供給される。そして、第４の再生器４で濃縮された吸収溶液は溶液ラインＬ７を流れ、低温溶液熱交換器８を経由して、吸収器７へ供給される（吸収器７に戻される）。
【０００５】
高温再生器１で発生した冷媒蒸気は蒸気ラインＬ２０を流れ、中温再生器２を経由してから第４の再生器４内の溶液と熱交換を行い、気液２相流或いは液相冷媒となって冷媒ラインＬ２０−Ａを流れ、凝縮器５に供給される。
図２７の技術によれば、高温再生器１で発生した冷媒蒸気（水蒸気）は、中温再生器２においては、図２６の点Ｘ−３、Ｘ−４間の濃度幅に相当する熱量のみを供給し、点Ｘ−４、Ｘ−５間の濃度幅に相当する加熱は行わない。そして、第４の再生器において、図２６の点Ｘ−１、Ｘ−２間の濃度幅に相当する加熱を行う。すなわち、高温再生器１で発生した蒸気が保有する熱量の一部が第４の再生器４に供給されている。そのため、図２６を参照すれば明らかなように、高温再生器１の温度が、腐食が発生し易い２００℃以上の高温となる事は無い。換言すれば、図２７の技術によれば、高温再生器１の温度が腐食温度よりも低温で運転することが出来るので、腐食が防止されるのである。この様に図２７の技術は、高効率の維持と、高温再生器の腐食防止とを両立することを可能ならしめる非常に有様な技術である。
【０００６】
ここで、近年においては、例えばガスエンジンコージェネレーションシステムと吸収冷温水機とを組み合わせ、吸収冷温水機において排熱を有効利用する事が行われている。そのため、吸収冷温水機において排熱利用効率を向上したい、という要請が非常に強い。
【０００７】
しかし、図２７を参照して説明した従来技術においては、排熱は利用されておらず、上述した要請に応えていない。
【０００８】
【発明が解決しようとする課題】
本発明は上述した従来技術の問題点に鑑みて提案されたものであり、三重効用吸収冷温水機としての高い熱効率を維持しつつ、高温再生器の腐食を防止する事が出来て、しかも排熱の有効利用を実現することが出来る様な吸収冷温水機の提供を目的としている。
【０００９】
【課題を解決するための手段】
本発明を所謂「シリーズ・パラレルフロータイプ」の吸収冷温水機に実施するに際しては、稀溶液ライン（Ｌ１）は低温溶液熱交換器（８）と中温溶液熱交換器（９）を経由して、中温溶液熱交換器（９）と高温溶液熱交換器（１０）との間で、高温溶液熱交換器（１０）及び高温再生器（１）に連通する溶液ライン（Ｌ２）と中温再生器（２）へ連通する溶液ライン（Ｌ３）とに分岐しており、高温再生器（１）で濃縮された吸収溶液は高温溶液熱交換器（１０）を経由して第４の再生器（４）に供給され、中温再生器（２）で濃縮された吸収溶液は中温溶液熱交換器（９）を経由して低温再生器（３）内へ供給され、低温再生器（３）で濃縮された吸収溶液は第４の再生器（４）内へ供給され、第４の再生器（４）で濃縮された吸収溶液は低温溶液熱交換器（８）を経由して吸収器（７）へ供給され、高温再生器（１）で発生した冷媒蒸気は、中温再生器（２）を経由してから第４の再生器（４）内の溶液と熱交換を行い、気液２相流或いは液相冷媒となって凝縮器（５）に供給される様に構成されており、稀溶液ライン（Ｌ１）の低温溶液熱交換器（８）と中温溶液熱交換器（９）の間の領域には、排熱ライン（Ｌ５０）を流れる流体が保有する排熱を稀溶液ライン（Ｌ１）を流れる稀溶液に投入する排熱熱交換器（５０）が介装されている（図１）。
【００１０】
上述した様な構成を具備する本発明によれば、高温再生器（１）と、中温再生器（２）と、低温再生器（３）と、第４の再生器（４）とを有し、高温再生器（１）で発生した蒸気が保有する熱量の一部が前記第４の再生器（４）に供給される様に構成されているので、三重効用吸収冷温水機としての高効率を維持しつつ、図２６で説明した様に、高温再生器（１）温度を腐食が発生し易い２００℃以上の高温となることを防止することが出来る。それに加えて、稀溶液ライン（Ｌ１）の低温溶液熱交換器（８）と中温溶液熱交換器（９）の間の領域に排熱熱交換器（５０）を介装することにより、排熱ライン（Ｌ５０）を流れる流体（例えば温排水）が保有する排熱を、稀溶液ライン（Ｌ１）を流れる稀溶液に投入し、排熱の有効利用を図っている。
【００１１】
排熱熱交換器（５０）を介して稀溶液に投入される排熱による稀溶液温度上昇は、図２６において、点Ｅ−１、Ｅ−２の間の領域に相当する。そして、排熱が投入される結果、高温再生器（１）で消費されるガス、高圧蒸気等の高質燃料の消費量を節減して、吸収冷温水機の効率を更に向上することが出来る。
【００１４】
本発明を所謂「シリーズ・パラレルフロータイプ」の吸収冷温水機に実施するに際しては、稀溶液ライン（Ｌ１）は低温溶液熱交換器（８）と中温溶液熱交換器（９）で経由して、中温溶液熱交換器（９）と高温溶液熱交換器（１０）との間で、高温溶液熱交換器（１０）及び高温再生器（１）に連通する溶液ライン（Ｌ２）と中温再生器（２）へ連通する溶液ライン（Ｌ３）とに分岐しており、高温再生器（１）で濃縮された吸収溶液は高温溶液熱交換器（１０）を経由して第４の再生器（４）に供給され、中温再生器（２）で濃縮された吸収溶液は中温溶液熱交換器（９）を経由して低温再生器（３）内へ供給され、低温再生器（３）で濃縮された吸収溶液は第４の再生器（４）内へ供給され、第４の再生器（４）で濃縮された吸収溶液は低温溶液熱交換器（８）を経由して吸収器（７）へ供給され、高温再生器（１）で発生した冷媒蒸気が流れるライン（Ｌ２０）は中温再生器（２）へ連通するライン（Ｌ３０）と第４の再生器（４）へ連通するライン（Ｌ３２）とに分岐しており、中温再生器（２）へ連通するライン（Ｌ３０）を流れる冷媒蒸気は中温再生器（２）内の溶液と熱交換を行って再生せしめ、液相冷媒、気液２相冷媒、気相冷媒のいずれかとなり、溶液ドレン熱交換器（１１）で稀溶液ライン（Ｌ１）を流れる稀溶液と熱交換を行って凝縮器（５）へ供給され、第４の再生器（４）へ連通するライン（Ｌ３２）を流れる冷媒蒸気は第４の再生器（４）内の溶液と熱交換を行って再生せしめた後、液相冷媒、気液２相冷媒、気相冷媒のいずれかとなって凝縮器（５）へ供給される様に構成されており、稀溶液ライン（Ｌ１）の低温溶液熱交換器（８）と溶液ドレン熱交換器（１１）の間の領域には、排熱ライン（Ｌ５０）を流れる流体が保有する排熱を稀溶液ライン（Ｌ１）を流れる稀溶液に投入する排熱熱交換器（５０）が介装されている（図２）。
【００１５】
本発明を所謂「シリーズフロータイプ」の吸収冷温水機に適用するに際しては、稀溶液ライン（Ｌ１）は低温溶液熱交換器（８）、第２の中温溶液熱交換器（９）、第１の中温溶液熱交換器（９）、高温溶液熱交換器（１０）を経由して高温再生器（１）に連通しており、高温再生器（１）で濃縮された吸収溶液は高温溶液熱交換器（１０）を経由して中温再生器（２）に供給され、中温再生器（２）で濃縮された吸収溶液は第１の中温溶液熱交換器（９）を経由して低温再生器（３）内へ供給され、低温再生器（３）で濃縮された吸収溶液は第２の中温溶液熱交換器（９）を経由して第４の再生器（４）内へ供給され、第４の再生器（４）で濃縮された吸収溶液は低温溶液熱交換器（８）を経由して吸収器（７）へ供給され、高温再生器（１）で発生した冷媒蒸気は、中温再生器（２）を経由してから第４の再生器（４）内の溶液と熱交換を行い、気液２相流或いは液相冷媒となって凝縮器（５）に供給される様に構成されており、稀溶液ライン（Ｌ１）の低温溶液熱交換器（８）と第２の中温溶液熱交換器（９）の間の領域には、排熱ライン（Ｌ５０）を流れる流体が保有する排熱を稀溶液ライン（Ｌ１）を流れる稀溶液に投入する排熱熱交換器（５０）が介装されている（図５）。
【００１６】
或いは、本発明を所謂「シリーズフロータイプ」の吸収冷温水機に適用するに際しては、稀溶液ライン（Ｌ１）は低温溶液熱交換器（８）、第２の中温溶液熱交換器（９）、第１の中温溶液熱交換器（９）、高温溶液熱交換器（１０）を経由して高温再生器（１）に連通しており、高温再生器（１）で濃縮された吸収溶液は高温溶液熱交換器（１０）を経由して中温再生器（２）に供給され、中温再生器（２）で濃縮された吸収溶液は第１の中温溶液熱交換器（９）を経由して低温再生器（３）内へ供給され、低温再生器（３）で濃縮された吸収溶液は第２の中温溶液熱交換器（９Ａ）を経由して第４の再生器（４）内へ供給され、第４の再生器（４）で濃縮された吸収溶液は低温溶液熱交換器（８）を経由して吸収器（７）へ供給され、高温再生器（１）で発生した冷媒蒸気が流れるライン（Ｌ２０）は中温再生器（２）へ連通するライン（Ｌ３０）と第４の再生器（４）へ連通するライン（Ｌ３２）とに分岐しており、中温再生器（２）へ連通するライン（Ｌ３０）を流れる冷媒蒸気は中温再生器（２）内の溶液と熱交換を行って再生せしめ、液相冷媒、気液２相冷媒、気相冷媒のいずれかとなり、溶液ドレン熱交換器（１１）で稀溶液ライン（Ｌ１）を流れる稀溶液と熱交換を行って凝縮器（５）へ供給され、第４の再生器（４）へ連通するライン（Ｌ３２）を流れる冷媒蒸気は第４の再生器（４）内の溶液と熱交換を行って再生せしめた後、液相冷媒、気液２相冷媒、気相冷媒のいずれかとなって凝縮器（５）へ供給される様に構成されており、稀溶液ライン（Ｌ１）の低温溶液熱交換器（８）と第２の中温溶液熱交換器（９Ａ）の間の領域には、排熱ライン（Ｌ５０）を流れる流体が保有する排熱を稀溶液ライン（Ｌ１）を流れる稀溶液に投入する排熱熱交換器（５０）が介装されている（図６）。
【００１７】
本発明を所謂「パラレルフロータイプ」の吸収冷温水機に実施するに際しては、稀溶液ライン（Ｌ１）は、低温溶液熱交換器（８）と中温溶液熱交換器（９）の間の第１の分岐点（ＢＰ−３）で、低温再生器（３）へ連通する溶液ライン（Ｌ３６）と、中温再生器（２）或いは高温再生器（１）へ連通するライン（Ｌ３５）とに分岐しており、中温再生器（２）或いは高温再生器（１）へ連通する前記ライン（Ｌ３５）は、中温溶液熱交換器（９）と高温溶液熱交換器（１０）の間の第２の分岐点（ＢＰ）で、中温再生器（２）へ連通するライン（Ｌ３）と、高温溶液熱交換器（１０）及び高温再生器（１）へ連通するライン（Ｌ２）とに分岐しており、高温再生器（１）で濃縮された吸収溶液は高温溶液熱交換器（１０）を経由して第４の再生器（４）に供給され、中温再生器（２）で濃縮された吸収溶液は中温溶液熱交換器（９）を経由して第４の再生器（４）に供給され、低温再生器（３）で濃縮された吸収溶液は第４の再生器（４）内へ供給され、第４の再生器（４）で濃縮された吸収溶液は低温溶液熱交換器（８）を経由して吸収器（７）へ供給され、高温再生器（１）で発生した冷媒蒸気は、中温再生器（２）を経由してから第４の再生器（４）内の溶液と熱交換を行い、気液２相流或いは液相冷媒となって凝縮器（５）に供給される様に構成されており、稀溶液ライン（Ｌ１）の低温溶液熱交換器（８）と前記第１の分岐点の間の領域には、排熱ライン（Ｌ５０）を流れる流体が保有する排熱を稀溶液ライン（Ｌ１）を流れる稀溶液に投入する排熱熱交換器（５０）が介装されている（図９）。
【００１８】
或いは本発明を所謂「パラレルフロータイプ」の吸収冷温水機に実施するに際しては、稀溶液ライン（Ｌ１）は、低温溶液熱交換器（８）と中温溶液熱交換器（９）の間で、低温再生器（３）へ連通する溶液ライン（Ｌ３６）と、中温再生器（２）或いは高温再生器（１）へ連通するライン（Ｌ３５）とに分岐しており、中温再生器（２）或いは高温再生器（１）へ連通する前記ライン（Ｌ３５）は、中温溶液熱交換器（９）と高温溶液熱交換器（１０）の間で、中温再生器（２）へ連通するライン（Ｌ３）と、高温溶液熱交換器（１０）及び高温再生器（１）へ連通するライン（Ｌ２）とに分岐しており、高温再生器（１）で濃縮された吸収溶液は高温溶液熱交換器（１０）を経由して第４の再生器（４）に供給され、中温再生器（２）で濃縮された吸収溶液は中温溶液熱交換器（９）を経由して第４の再生器（４）に供給され、低温再生器（３）で濃縮された吸収溶液は第４の再生器（４）内へ供給され、第４の再生器（４）で濃縮された吸収溶液は低温溶液熱交換器（８）を経由して吸収器（７）へ供給され、高温再生器（１）で発生した冷媒蒸気が流れるライン（Ｌ２０）は中温再生器（２）へ連通するライン（Ｌ３０）と第４の再生器（４）へ連通するライン（Ｌ３２）とに分岐しており、中温再生器（２）へ連通するライン（Ｌ３０）を流れる冷媒蒸気は中温再生器（２）内の溶液と熱交換を行って再生せしめ、液相冷媒、気液２相冷媒、気相冷媒のいずれかとなり、溶液ドレン熱交換器（１１）で稀溶液ライン（Ｌ１）を流れる稀溶液と熱交換を行って凝縮器（５）へ供給され、第４の再生器（４）へ連通するライン（Ｌ３２）を流れる冷媒蒸気は第４の再生器（４）内の溶液と熱交換を行って再生せしめた後、液相冷媒、気液２相冷媒、気相冷媒のいずれかとなって凝縮器（５）へ供給される様に構成されており、稀溶液ライン（Ｌ１）の低温溶液熱交換器（８）と溶液ドレン熱交換器（１１）の間の領域には、排熱ライン（Ｌ５０）を流れる流体が保有する排熱を稀溶液ライン（Ｌ１）を流れる稀溶液に投入する排熱熱交換器（５０）が介装されている（図１０）。
【００１９】
本発明を所謂「リバースフロータイプ」の吸収冷温水機に実施するに際しては、稀溶液ライン（Ｌ１）を流れる稀溶液は低温溶液熱交換器（８）及び中温溶液熱交換器（９）を経由して低温再生器（３）へ供給され、低温再生器（３）で濃縮された吸収溶液は中温溶液熱交換器（９）を経由して中温再生器（２）へ供給され、中温再生器（２）で濃縮された吸収溶液は高温溶液熱交換器（１０）を経由して高温再生器（１）へ供給され、高温再生器（１）で濃縮された吸収溶液は高温溶液熱交換器（１０）を経由して第４の再生器（４）に供給され、第４の再生器（４）で濃縮された吸収溶液は低温溶液熱交換器（８）を経由して吸収器（７）へ供給され、高温再生器（１）で発生した冷媒蒸気は、中温再生器（２）を経由してから第４の再生器（４）内の溶液と熱交換を行い、気液２相流或いは液相冷媒となって凝縮器（５）に供給される様に構成されており、稀溶液ライン（Ｌ１）の低温溶液熱交換器（８）と中温溶液熱交換器（９）の間の領域には、排熱ライン（Ｌ５０）を流れる流体が保有する排熱を稀溶液ライン（Ｌ１）を流れる稀溶液に投入する排熱熱交換器（５０）が介装されている（図１３）。
【００２０】
或いは、本発明を所謂「リバースフロータイプ」の吸収冷温水機に実施するに際しては、稀溶液ライン（Ｌ１）を流れる稀溶液は低温溶液熱交換器（８）及び中温溶液熱交換器（９）を経由して低温再生器（３）へ供給され、低温再生器（３）で濃縮された吸収溶液は中温溶液熱交換器（９）を経由して中温再生器（２）へ供給され、中温再生器（２）で濃縮された吸収溶液は高温溶液熱交換器（１０）を経由して高温再生器（１）へ供給され、高温再生器（１）で濃縮された吸収溶液は高温溶液熱交換器（１０）を経由して第４の再生器（４）に供給され、第４の再生器（４）で濃縮された吸収溶液は低温溶液熱交換器（８）を経由して吸収器（７）へ供給され、高温再生器（１）で発生した冷媒蒸気が流れるライン（Ｌ２０）は中温再生器（２）へ連通するライン（Ｌ３０）と第４の再生器（４）へ連通するライン（Ｌ３２）とに分岐しており、中温再生器（２）へ連通するライン（Ｌ３０）を流れる冷媒蒸気は中温再生器（２）内の溶液と熱交換を行って再生せしめ、液相冷媒、気液２相冷媒、気相冷媒のいずれかとなり、溶液ドレン熱交換器（１１）で稀溶液ライン（Ｌ１）を流れる稀溶液と熱交換を行って凝縮器（５）へ供給され、第４の再生器（４）へ連通するライン（Ｌ３２）を流れる冷媒蒸気は第４の再生器（４）内の溶液と熱交換を行って再生せしめた後、液相冷媒、気液２相冷媒、気相冷媒のいずれかとなって凝縮器（５）へ供給される様に構成されており、稀溶液ライン（Ｌ１）の低温溶液熱交換器（８）と中温溶液熱交換器（９）の間の領域には、排熱ライン（Ｌ５０）を流れる流体が保有する排熱を稀溶液ライン（Ｌ１）を流れる稀溶液に投入する排熱熱交換器（５０）が介装されている（図１４）。
【００２１】
本発明を所謂「リバース・パラレルフロータイプ」の吸収冷温水機について実施するには、稀溶液ライン（Ｌ１）は低温溶液熱交換器（８）と中温溶液熱交換器（９）を経由して、中温溶液熱交換器（９）と高温溶液熱交換器（１０）との間で、高温溶液熱交換器（１０）及び高温再生器（１）に連通する溶液ライン（Ｌ３９）と低温再生器（３）へ連通する溶液ライン（Ｌ４０）とに分岐しており、低温再生器（３）で濃縮された吸収溶液は中温溶液熱交換器（９）を経由して中温再生器（２）へ供給され、中温再生器（２）で濃縮された吸収溶液は高温溶液熱交換器（１０）を経由して高温再生器（１）へ供給され、高温再生器（１）で濃縮された吸収溶液は高温溶液熱交換器（１０）を経由して第４の再生器（４）に供給され、高温再生器（１）で発生した冷媒蒸気は、中温再生器（２）を経由してから第４の再生器（４）内の溶液と熱交換を行い、気液２相流或いは液相冷媒となって凝縮器（５）に供給される様に構成されており、稀溶液ライン（Ｌ１）の低温溶液熱交換器（８）と中温溶液熱交換器（９）の間の領域には、排熱ライン（Ｌ５０）を流れる流体が保有する排熱を稀溶液ライン（Ｌ１）を流れる稀溶液に投入する排熱熱交換器（５０）が介装されている（図１７）。
【００２２】
或いは、本発明を所謂「リバース・パラレルフロータイプ」の吸収冷温水機について実施するには、稀溶液ライン（Ｌ１）は低温溶液熱交換器（８）と中温溶液熱交換器（９）を経由して、中温液熱交換器と高温溶液熱交換器（１０）との間で、高温溶液熱交換器（１０）及び高温再生器（１）に連通する溶液ライン（Ｌ３９）と、溶液ドレン熱交換器（１１）及び低温再生器（３）へ連通する溶液ライン（Ｌ４０）とに分岐しており、低温再生器（３）で濃縮された吸収溶液は中温溶液熱交換器（９）を経由して中温再生器（２）へ供給され、中温再生器（２）で濃縮された吸収溶液は高温溶液熱交換器（１０）を経由して高温再生器（１）へ供給され、高温再生器（１）で濃縮された吸収溶液は高温溶液熱交換器（１０）を経由して第４の再生器（４）に供給され、高温再生器（１）で発生した冷媒蒸気が流れるライン（Ｌ２０）は中温再生器（２）へ連通するライン（Ｌ３０）と第４の再生器（４）へ連通するライン（Ｌ３２）とに分岐しており、中温再生器（２）へ連通するライン（Ｌ３０）を流れる冷媒蒸気は中温再生器（２）内の溶液と熱交換を行って再生せしめ、液相冷媒、気液２相冷媒、気相冷媒のいずれかとなり、溶液ドレン熱交換器（１１）を経由して凝縮器（５）へ供給され、第４の再生器（４）へ連通するライン（Ｌ３２）を流れる冷媒蒸気は第４の再生器（４）内の溶液と熱交換を行って再生せしめた後、液相冷媒、気液２相冷媒、気相冷媒のいずれかとなって凝縮器（５）へ供給される様に構成されており、稀溶液ライン（Ｌ１）の低温溶液熱交換器（８）と中温溶液熱交換器（９）の間の領域には、排熱ライン（Ｌ５０）を流れる流体が保有する排熱を稀溶液ライン（Ｌ１）を流れる稀溶液に投入する排熱熱交換器（５０）が介装されている（図１８）。
【００２３】
さらに、本発明を所謂「リバース・パラレルフロータイプ」の吸収冷温水機について実施するには、稀溶液ライン（Ｌ１）は低温溶液熱交換器（８）と中温溶液熱交換器（９）を経由して、中温溶液熱交換器（９）と高温溶液熱交換器（１０）との間で、溶液ドレン熱交換器（１１）、高温溶液熱交換器（１０）、高温再生器（１）に連通する溶液ライン（Ｌ３９）と、低温再生器（３）へ連通する溶液ライン（Ｌ４０）とに分岐しており、低温再生器（３）で濃縮された吸収溶液は中温溶液熱交換器（９）を経由して中温再生器（２）へ供給され、中温再生器（２）で濃縮された吸収溶液は高温溶液熱交換器（１０）を経由して高温再生器（１）へ供給され、高温再生器（１）で濃縮された吸収溶液は高温溶液熱交換器（１０）を経由して第４の再生器（４）に供給され、高温再生器（１）で発生した冷媒蒸気が流れるライン（Ｌ２０）は中温再生器（２）へ連通するライン（Ｌ３０）と第４の再生器（４）へ連通するライン（Ｌ３２）とに分岐しており、中温再生器（２）へ連通するライン（Ｌ３０）を流れる冷媒蒸気は中温再生器（２）内の溶液と熱交換を行って再生せしめ、液相冷媒、気液２相冷媒、気相冷媒のいずれかとなり、溶液ドレン熱交換器（１１）を経由して凝縮器（５）へ供給され、第４の再生器（４）へ連通するライン（Ｌ３２）を流れる冷媒蒸気は第４の再生器（４）内の溶液と熱交換を行って再生せしめた後、液相冷媒、気液２相冷媒、気相冷媒のいずれかとなって凝縮器（５）へ供給される様に構成されており、稀溶液ライン（Ｌ１）の低温溶液熱交換器（８）と中温溶液熱交換器（９）の間の領域には、排熱ライン（Ｌ５０）を流れる流体が保有する排熱を稀溶液ライン（Ｌ１）を流れる稀溶液に投入する排熱熱交換器（５０）が介装されている（図１９）。
【００２４】
本発明の実施に際して、高温再生器（１）で発生した冷媒蒸気は、第４の再生器（４）内の溶液と熱交換を行って再生せしめた後、溶液ドレン熱交換器（１１）で稀溶液ライン（Ｌ１）を流れる稀溶液と熱交換を行ってから凝縮器（５）に供給される様に構成するのが好ましい（図３、図７、図１１、図１５、図２０）。
【００２５】
また、第４の再生器（４）へ連通するラインを流れる冷媒蒸気は第４の再生器（４）内の溶液と熱交換を行って再生せしめた後、第２の溶液ドレン熱交換器（１１）で稀溶液ライン（Ｌ１）を流れる稀溶液と熱交換を行ってから凝縮器（５）へ供給される様に構成するのが好ましい（図４、図８、図１２、図１６、図２１、図２２）。
【００２６】
そして本発明の実施に際しては、吸収器及び蒸発器を２段に構成することも出来る。
【００２７】
一方、本発明の実施に際して、前記低温再生器のケーシングと第４の再生器のケーシングとを一体的に構成し、一体的に構成されたケーシングの内部は、中温再生器で発生した蒸気が流れる蒸気ラインが連通する低温再生器側の領域と、高温再生器で発生した蒸気が流れる蒸気ラインが連通する第４の再生器側の領域、とが存在する様に構成しても良い。その場合、一体的に構成されたケーシング内部空間の上方の領域における最下方には、供給された吸収溶液を貯留する部材が設けられており、該部材には中温再生器に連通するラインが接続されている様に構成することが好ましい。
【００２８】
これに加えて、本発明において、高温再生器（１）で発生した冷媒蒸気が流れる配管における中温再生器（２）と第４の再生器（４）内との間の領域に、流量調整弁（Ｖ１）を介装することが好ましい（図２３）。
或いは、高温再生器（１）で発生した冷媒蒸気が流れるライン（Ｌ２０）は中温再生器（２）へ連通するライン（Ｌ３０）と第４の再生器（４）へ連通するライン（Ｌ３２）とに分岐しており、第４の再生器（４）へ連通するライン（Ｌ３２）における分岐点（ＢＰ−２）と第４の再生器（４）との間の領域に、流量調整弁（Ｖ２）を介装することも好ましい（図２４）。
【００２９】
本発明において、高温再生器（１）で発生した蒸気が流れるライン（Ｌ２０）は、中温再生器（２）或いは第４の再生器（４）に連通するライン（Ｌ３０）と、蒸発器に連通するライン（Ｌ１２８）とに分岐しており、蒸発器に連通する前記ライン（Ｌ１２８）に冷暖切換弁（Ｖ３）が介装されているのが好ましい  （図２５）。
【００３０】
【発明の実施の形態】
以下、図１−図２６を参照して、本発明の実施形態について説明する。なお、図示の実施形態においては、同様な部材には同様な符号を付してある。
【００３１】
図１は本発明の第１実施形態を示している。図１の実施形態では、吸収冷温水機は所謂「シリーズ・パラレルフロータイプ」の吸収冷温水機として構成されている。図１において、吸収器７から出た吸収溶液（すなわち稀溶液）は、溶液ポンプ４０によりヘッドを負荷されて、稀溶液ラインＬ１により再生器側へ送られる。すなわち、稀溶液ラインＬ１を流れる稀溶液は、低温溶液熱交換器８、排熱熱交換器５０、中温溶液熱交換器９を介して予熱される。ここで、排熱熱交換器５０は、排熱ラインＬ５０を流れる流体（例えば温排水等）が保有する排熱を、稀溶液ラインＬ１を流れる稀溶液に投入する作用を奏する。
【００３２】
稀溶液ラインＬ１は、中温溶液熱交換器９と高温溶液熱交換器１０との間の分岐地点ＢＰにおいて、高温再生器１に連通する溶液ラインＬ２と、中温再生器２へ連通する溶液ラインＬ３とに分岐する。溶液ラインＬ２を流れる稀溶液は、高温溶液熱交換器１０によってさらに予熱されて、高温再生器１に供給される。
【００３３】
高温再生器１においては、所謂「高質燃料」を用いる図示しない加熱手段（例えばガスバーナ等）によって吸収溶液は加熱されて、水蒸気（冷媒蒸気、気相冷媒）を発生する。発生した水蒸気は、蒸気ラインＬ２０を通り、中温再生器２内の溶液と熱交換を行って再生せしめ（図２６の点Ｘ−３、Ｘ−４間の濃度幅に相当する）、第４の再生器４内の溶液と熱交換を行い再生せしめた後（図２６の点Ｘ−１とＸ−５を混合した濃度、Ｘ−２間の濃度幅に相当する）、気液２相流となり、或いは液相冷媒となって、符号Ｌ２０−Ａで示すラインを介して凝縮器５に送られる。
【００３４】
高温再生器１で濃縮された吸収溶液は、溶液ラインＬ４を流れ、高温溶液熱交換器１０で熱交換を行い、第４の再生器４に送られる。そして、蒸気ラインＬ２０を流れる水蒸気、すなわち高温再生器１で発生した蒸気により加熱されて、一部が再生する。
【００３５】
分岐点ＢＰからラインＬ３を介して中温再生器２へ供給された稀溶液は、蒸気ラインＬ２０を流れる水蒸気、すなわち高温再生器１で発生した蒸気により加熱されて、一部が再生する。再生した水蒸気は蒸気ラインＬ２１を流れ、低温再生器３内の溶液と熱交換を行って再生せしめ、気液２相流となり、或いは液相冷媒となって、符号Ｌ２１−Ａで示すラインを介して凝縮器５に送られる。
【００３６】
中温再生器２で濃縮された吸収溶液は、溶液ラインＬ５を流れ、中温溶液熱交換器９で熱交換を行った後に、低温再生器３内へ滴下される。そして、蒸気ラインＬ２１を流れる水蒸気、すなわち中温再生器１で発生した蒸気により加熱されて、一部が再生する。
【００３７】
低温再生器３において、蒸気ラインＬ２１を流れる水蒸気により加熱されて再生した気相冷媒（水蒸気）は、蒸気ラインＬ２２を介して凝縮器５へ送られる。そして、低温再生器３で濃縮された吸収溶液は、溶液ラインＬ６を介して第４の再生器４内へ滴下される。
【００３８】
さらに第４の再生器４において、蒸気ラインＬ２０を流れる水蒸気により加熱されて再生した気相冷媒は、蒸気ラインＬ２３を介して凝縮器５へ送られる。そして、第４の再生器４で濃縮された吸収溶液は、溶液ラインＬ７を流れ、低温溶液熱交換器８で熱交換をした後に、高濃度溶液として、吸収器７内に滴下される。吸収器７内で滴下する高濃度吸収溶液は、ラインＬ２４を介して蒸発器６から流れてきた水蒸気を吸収して、再び稀溶液として稀溶液ラインＬ１に送られる。凝縮器５に送られた再生蒸気（気液２相流、液相冷媒も含む）は液相冷媒（水）となり、ラインＬ８を通って蒸発器６に送られる。そして、冷水ラインＬ９内を流れる冷水から気化熱（潜熱）を奪って蒸発し、冷水ラインＬ９内の冷水温度を降下せしめる。気化した冷媒（水蒸気）は、蒸気ラインＬ２４を介して吸収器７に送られ、その内部を滴下する高濃度の吸収溶液によって吸収される。
【００３９】
なお、冷水ラインＬ９は図示しない冷房負荷に供給され、また、符号Ｌ１０で示すラインは、吸収器７及び凝縮器５を冷却するための冷却水ラインである。
【００４０】
上述した通り、高温再生器１で発生した水蒸気は、中温再生器２においては、図２６の点Ｘ−３、Ｘ−４間の濃度幅に相当する熱量のみを供給し、点Ｘ−４、Ｘ−５間の濃度幅に相当する加熱は行わない。そして、第４の再生器において、図２６の点Ｘ−１、Ｘ−２間の濃度幅に相当する加熱を行う。すなわち、高温再生器１で発生した蒸気が保有する熱量の一部が第４の再生器４に供給されている。そのため、図２６を参照すれば明らかなように、高温再生器１の温度が（腐食が発生し易い）２００℃以上の高温となる事は無いのである。
【００４１】
また、排熱ラインＬ５０から排熱熱交換器５０を介して稀溶液ラインＬ１を流れる稀溶液に供給される排熱は、図２６において、点Ｅ−１、Ｅ−２間の領域に相当するものであり、当該稀溶液の温度上昇に寄与する。そして、高温再生器１における高質燃料削減に役立つ。
【００４２】
図２は本発明の第２実施形態を示しており、図１の実施形態と同様に、シリーズ・パラレルフロータイプの吸収冷温水機を示している。図２において、高温再生器１で発生した冷媒蒸気が流れる蒸気ラインＬ２０は、分岐点ＢＰ−２で、中温再生器２へ連通するラインＬ３０と、第４の再生器４へ連通するラインＬ３２とに分岐している。また、図２の実施形態においては、稀溶液ラインＬ１には、低温溶液熱交換器８と中温溶液熱交換器９との間の領域に、溶液ドレン熱交換器１１が介装されている。
【００４３】
ラインＬ３０を流れる水蒸気は、中温再生器２内の溶液と熱交換を行って再生せしめ、液相冷媒、気液２相冷媒、気相冷媒のいずれかとなってラインＬ１１を流れる。そして、溶液ドレン熱交換器１１において、稀溶液ラインＬ１を流れる稀溶液と熱交換を行った後に、凝縮器５へ送られる。
【００４４】
一方、ラインＬ３２を流れる水蒸気は、第４の再生器４内の溶液と熱交換を行って再生せしめた後、液相冷媒、気液２相冷媒、気相冷媒のいずれかとなってラインＬ３２−Ａを流れ、凝縮器５へ送られる。
【００４５】
図２の実施形態においては、高温再生器１で発生した冷媒蒸気を中温再生器２と第４の再生器４とに分配する事により、高温再生器１で発生した蒸気が保有する熱量の一部が第４の再生器４に供給されている。また、中温再生器２内の溶液と熱交換を行った後にラインＬ１１を流れる冷媒が保有する熱量が、溶液ドレン熱交換器１１において稀溶液ラインＬ１を流れる稀溶液へ供給されて予熱するので、高温再生器１において加えられた熱量が有効に利用される。
【００４６】
さらに、図２の実施形態においては、排熱ラインＬ５０を流れる排熱流体が保有する熱量を投入するための排熱熱交換器５０は、稀溶液ラインＬ１の、低温溶液熱交換器８と溶液ドレン熱交換器１１との間の領域に介装されている。
その他の構成及び作用効果は、図１の実施形態と同様である。
【００４７】
図３及び図４も、本発明をシリーズ・パラレルフロータイプの吸収冷温水機に適用した実施形態を示している。
図３の実施形態は、図１の実施形態と同様に、高温再生器１で発生した蒸気が流れるラインＬ２０は途中で分岐すること無く、中温再生器２を経由して、第４の再生器４に連通する。しかし、図３の実施形態では、図２の実施形態と同様に溶液ドレン熱交換器１１を備えており、第４の再生器４を経由して気液２相流或いは液相冷媒が流れるラインＬ２０−Ａは、溶液ドレン熱交換器１１を経由して凝縮器５に連通している。
【００４８】
溶液ドレン熱交換器１１は、稀溶液ラインＬ１の低温溶液熱交換器８と中温溶液熱交換器９との間の領域に介装されており、ラインＬ２０−Ａを流れる気液２相流或いは液相冷媒が保有する熱量を、稀溶液ラインＬ１を流れる稀溶液に供給して加熱（予熱）する。
図３の実施形態においても、排熱ラインＬ５０を流れる排熱流体が保有する熱量を投入するための排熱熱交換器５０は、稀溶液ラインＬ１の、低温溶液熱交換器８と溶液ドレン熱交換器１１との間の領域に介装されている。
その他の構成及び作用効果は、図１及び図２の実施形態と同様である。
【００４９】
図４で示す実施形態では、図２で示す実施形態と同様に、高温再生器１で発生した冷媒蒸気が流れる蒸気ラインＬ２０は、分岐点ＢＰ−２で、中温再生器２へ連通するラインＬ３０と、第４の再生器４へ連通するラインＬ３２とに分岐している。
【００５０】
ラインＬ３０を流れる水蒸気は、中温再生器２内の溶液と熱交換を行って再生せしめ、液相冷媒、気液２相冷媒、気相冷媒のいずれかとなってラインＬ１１を流れる。そして、溶液ドレン熱交換器（第１の溶液ドレン熱交換器）１１において、稀溶液ラインＬ１を流れる稀溶液と熱交換を行った後に、凝縮器５へ送られる。
【００５１】
一方、ラインＬ３２を流れる水蒸気は、第４の再生器４内の溶液と熱交換を行って再生せしめた後、液相冷媒、気液２相冷媒、気相冷媒のいずれかとなってラインＬ３２−Ａを流れる。
ここで図４の実施形態においては、第１の溶液ドレン熱交換器１１に加えて、第２の溶液ドレン熱交換器１１Ａが、稀溶液ラインＬ１の低温溶液熱交換器８と中温溶液熱交換器９との間の領域、より詳細には低温溶液熱交換器８と第１の溶液ドレン熱交換器１１との間の領域に介装されている。そして、ラインＬ３２−Ａを流れる冷媒が保有する熱量が第２の溶液ドレン熱交換器１１Ａを介して稀溶液に供給された後に、ラインＬ３２−Ａを流れる当該冷媒は凝縮器５へ送られるのである。
【００５２】
図４の実施形態において、排熱ラインＬ５０を流れる排熱流体が保有する熱量を投入するための排熱熱交換器５０は、稀溶液ラインＬ１の、低温溶液熱交換器８と第２の溶液ドレン熱交換器１１との間の領域に介装されている。
その他の構成及び作用効果については、図２の実施形態と同様である。
【００５３】
図５−図８は、本発明を所謂「シリーズフロータイプ」の吸収冷温水機に適用した実施形態を示している。
図５で示す第５実施形態において、吸収器７から出る稀溶液は、溶液ポンプ４０、低温溶液熱交換器８、第２の中温溶液熱交換器９Ａ、第１の中温溶液熱交換器９、高温溶液熱交換器１０を介して、その全量が高温再生器１に送られる。高温再生器１で発生した冷媒蒸気は、ラインＬ２０により中温再生器２及び第４の再生器４を経由し、ラインＬ２０−Ａを通って凝縮器５に送られる。そして、中温再生器２及び第４の再生器４内の溶液をそれぞれ再生する。すなわち、この実施形態においても、高温再生器１で発生した蒸気が保有する熱量の一部が第４の再生器４に供給される。
【００５４】
高温再生器１で再生されて濃縮された吸収溶液は、溶液ラインＬ４を介して、高温溶液熱交換器１０を経由して、中温再生器２内で滴下される。中温再生器２で再生、濃縮された吸収溶液は、溶液ラインＬ５を介して第１の中温溶液熱交換器９を経由して、低温再生器３内に滴下される。そして、低温再生器３で再生、濃縮された溶液は、ラインＬ６を介して第２の中温溶液熱交換器９Ａを経由して、第４の再生器４内に滴下される。さらに、第４の再生器４で再生、濃縮された溶液は、ラインＬ７を通り低温溶液熱交換器８を経由して、吸収器７に戻されている。
【００５５】
なお、図５において、ラインＬ３４は蒸発器６において液相冷媒（水）が循環するライン（液相冷媒循環ライン）であり、符号４２は液相冷媒循環ラインＬ３４を循環する液相冷媒にヘッドを与えるための溶液ポンプであり、明確には図示されていないが、本発明の他の実施形態にも設けられている。
図５の実施形態において、排熱ラインＬ５０を流れる排熱流体が保有する熱量を投入するための排熱熱交換器５０は、稀溶液ラインＬ１の、低温溶液熱交換器８と第２の中温溶液熱交換器９Ａとの間の領域に介装されている。
その他の構成及び作用効果は、図１−図４の実施形態と同様である。
【００５６】
図６で示す本発明の第６実施形態では、高温再生器１で発生した冷媒蒸気が流れる蒸気ラインＬ２０は、分岐点ＢＰ−２で、中温再生器２へ連通するラインＬ３０と、第４の再生器４へ連通するラインＬ３２とに分岐している。また、図６の実施形態においては、稀溶液ラインＬ１には、第２の中温溶液熱交換器９Ａと中温溶液熱交換器９との間の領域に、溶液ドレン熱交換器１１が介装されている。なお、溶液ドレン熱交換器１１は、第２の中温溶液熱交換器９Ａと低温溶液熱交換器８との間の領域に介装しても良い。
【００５７】
ラインＬ３０を流れる水蒸気は、中温再生器２内の溶液と熱交換を行って再生せしめ、液相冷媒、気液２相冷媒、気相冷媒のいずれかとなってラインＬ３０−Ａを流れる。そして、溶液ドレン熱交換器１１において、稀溶液ラインＬ１を流れる稀溶液と熱交換を行った後に、凝縮器５へ送られる。
一方、ラインＬ３２を流れる水蒸気は、第４の再生器４内の溶液と熱交換を行って再生せしめた後、液相冷媒、気液２相冷媒、気相冷媒のいずれかとなってラインＬ３２−Ａを流れ、凝縮器５へ送られる。
【００５８】
図６の実施形態においても、高温再生器１で発生した冷媒蒸気を中温再生器２と第４の再生器４とに分配する事により、高温再生器１で発生した蒸気が保有する熱量の一部が第４の再生器４に供給されている。また、中温再生器２内の溶液と熱交換を行った後にラインＬ３０−Ａを流れる冷媒が保有する熱量が、溶液ドレン熱交換器１１において稀溶液ラインＬ１を流れる稀溶液へ供給されて予熱するので、高温再生器１において加えられた熱量が有効に利用される。
そして図６の実施形態において、排熱ラインＬ５０を流れる排熱流体が保有する熱量を投入するための排熱熱交換器５０は、稀溶液ラインＬ１の、低温溶液熱交換器８と第２の中温溶液熱交換器９Ａとの間の領域に介装されている。
その他の構成及び作用効果は、図５の実施形態と同様である。
【００５９】
図５で示す実施形態では、高温再生器で発生した蒸気はラインＬ２０を流れて中温再生器２及び第４の再生器４を経由した後、気液２相流或いは液相冷媒となって、ラインＬ２０−Ａを流れて凝縮器５へ供給される。これに対して図７で示す第７実施形態では、稀溶液ラインＬ１の第２の中温溶液熱交換器９Ａと低温溶液熱交換器８との間の領域に溶液ドレン熱交換器１１が介装されており、前記ラインＬ２０−Ａは該溶液ドレン熱交換器１１を経由して凝縮器５へ連通している。そして、前記ラインＬ２０−Ａを流れる冷媒が保有する熱量は、溶液ドレン熱交換器１１において、稀溶液ラインＬ１を流れる稀溶液に供給される。
【００６０】
図７において、排熱ラインＬ５０を流れる排熱流体が保有する熱量を投入するための排熱熱交換器５０は、稀溶液ラインＬ１の、低温溶液熱交換器８と溶液ドレン熱交換器１１との間の領域に介装されている。
図７で示す実施形態のその他の構成及び作用効果は、図５で示す実施形態と同様である。
【００６１】
図８で示す第８実施形態では、高温再生器で発生した蒸気はラインＬ２０を流れて、分岐点ＢＰ−２でラインＬ３０とＬ３２とに分岐し、ラインＬ３２を流れる蒸気冷媒は、第４の再生器４を経由した後、気液２相流或いは液相冷媒となって、ラインＬ３２−Ａを流れる。ここで稀溶液ラインＬ１には、第１の溶液ドレン熱交換器１１が介装されていると共に、第２の中温溶液熱交換器９Ａと低温溶液熱交換器８との間の領域に第２の溶液ドレン熱交換器１１Ａが介装されている。そして、第２の溶液ドレン熱交換器１１Ａを介して、前記ラインＬ３２−Ａを流れる冷媒は、稀溶液ラインＬ１を流れる稀溶液に熱量を提供して予熱し、その後に凝縮器５へ送られる。
【００６２】
この点で、ラインＬ３２を流れる蒸気冷媒は、第４の再生器４を経由した後、気液２相流或いは液相冷媒となってラインＬ３２−Ａを流れ、直ちに凝縮器５へ供給される図６の実施形態とは相違している。
図８において、排熱ラインＬ５０を流れる排熱流体が保有する熱量を投入するための排熱熱交換器５０は、稀溶液ラインＬ１の、低温溶液熱交換器８と第２の溶液ドレン熱交換器１１Ａとの間の領域に介装されている。
その他の構成及び作用効果については、図６の実施形態と同様である。
【００６３】
【００６４】
図９−図１２は、本発明を所謂「パラレルフロータイプ」の吸収冷温水機に適用した実施形態を示している。
図９で示す第９実施形態では、稀溶液ラインＬ１は、低温溶液熱交換器８と中温溶液熱交換器９との間の領域における分岐点ＢＰ−３（第１の分岐点）で、高温再生器１或いは中温再生器２と連通するラインＬ３５と、低温再生器３と連通するラインＬ３６、とに分岐している。前記ラインＬ３５は、さらに、中温溶液熱交換器９と高温溶液熱交換器１０との間の領域における分岐点ＢＰ（第２の分岐点）で、高温再生器１に連通する配管Ｌ２と、中温再生器２に連通する配管Ｌ３、とに分岐している。
【００６５】
高温再生器１で発生した冷媒蒸気は、ラインＬ２０により中温再生器２及び第４の再生器４を経由し、ラインＬ２０−Ａを通って凝縮器５に送られる。そして、中温再生器２及び第４の再生器４内の溶液をそれぞれ再生する。すなわち、この実施形態においても、高温再生器１で発生した蒸気が保有する熱量の一部が第４の再生器４に供給される。なお、ラインＬ２０において、中温再生器２と第４の再生器４との間の領域は、気液２相流が流れている。
【００６６】
高温再生器１で再生されて濃縮された吸収溶液は、溶液ラインＬ４を介して高温溶液熱交換器１０を経由して第４の再生器４へ供給され、中温再生器２で再生、濃縮された吸収溶液は、溶液ラインＬ１１を介して中温溶液熱交換器９を経由して第４の再生器４へ供給され、そして、低温再生器３で再生、濃縮された溶液は、ラインＬ６を介して第４の再生器４内に滴下される。さらに、第４の再生器４で再生、濃縮された溶液は、ラインＬ７を通り低温溶液熱交換器８を経由して、吸収器７に戻される。
【００６７】
図９において、排熱ラインＬ５０を流れる排熱流体が保有する熱量を投入するための排熱熱交換器５０は、稀溶液ラインＬ１の、低温溶液熱交換器８と第１の分岐点ＢＰ−３との間の領域に介装されている。
その他の構成及び作用効果については、図１−図８の実施形態と同様である。
【００６８】
図１０で示す第１０実施形態では、高温再生器１で発生した冷媒蒸気が流れる蒸気ラインＬ２０は、分岐点ＢＰ−２で、中温再生器２へ連通するラインＬ３０と、第４の再生器４へ連通するラインＬ３２とに分岐している。また、図１０の実施形態においては、稀溶液ラインＬ１には、分岐点ＢＰ−３と低温溶液熱交換器８との間の領域に、溶液ドレン熱交換器１１が介装されている。
【００６９】
ラインＬ３０を流れる水蒸気は、中温再生器２内の溶液と熱交換を行って再生せしめ、液相冷媒、気液２相冷媒、気相冷媒のいずれかとなってラインＬ３０−Ａを流れる。そして、溶液ドレン熱交換器１１において、稀溶液ラインＬ１を流れる稀溶液と熱交換を行った後に、凝縮器５へ送られる。一方、ラインＬ３２を流れる水蒸気は、第４の再生器４内の溶液と熱交換を行って再生せしめた後、液相冷媒、気液２相冷媒、気相冷媒のいずれかとなってラインＬ３２−Ａを流れ、凝縮器５へ送られる。
【００７０】
図１０の実施形態においても、高温再生器１で発生した冷媒蒸気を中温再生器２と第４の再生器４とに分配する事により、高温再生器１で発生した蒸気が保有する熱量の一部が第４の再生器４に供給されている。また、中温再生器２内の溶液と熱交換を行った後にラインＬ３０−Ａを流れる冷媒が保有する熱量が、溶液ドレン熱交換器１１において稀溶液ラインＬ１を流れる稀溶液へ供給されて予熱するので、高温再生器１において加えられた熱量が有効に利用される。
【００７１】
図１０において、排熱ラインＬ５０を流れる排熱流体が保有する熱量を投入するための排熱熱交換器５０は、稀溶液ラインＬ１の、低温溶液熱交換器８と溶液ドレン熱交換器１１との間の領域に介装されている。
その他の構成及び作用効果は、図９の実施形態と同様である。
【００７２】
図１１は第１１実施形態を示しており、高温再生器１で発生した冷媒蒸気はラインＬ２０を流れ、中温再生器２、第４の再生器４を経由して、気液２相流或いは液相冷媒としてラインＬ２０−Ａを流れ、溶液ドレン熱交換器１１を経由して凝縮器５に供給される。この溶液ドレン熱交換器１１は、稀溶液ラインＬ１の低温溶液熱交換器８と分岐点ＢＰ−３との間の領域に介装されており、稀溶液ラインＬ１の当該領域を流れる稀溶液に対して、ラインＬ２０−Ａを流れる冷媒が保有する熱量を供給して予熱している。
【００７３】
この点で図１１の実施形態は、図９の実施形態、すなわち第４の再生器を経由してラインＬ２０−Ａを流れる冷媒が直接凝縮器５へ供給される実施形態、と相違している。
図１１においても、排熱ラインＬ５０を流れる排熱流体が保有する熱量を投入するための排熱熱交換器５０は、稀溶液ラインＬ１の、低温溶液熱交換器８と溶液ドレン熱交換器１１との間の領域に介装されている。
その他の構成及び作用効果については、図１１の実施形態は図９の実施形態と同様である。
なお図１１において、ラインＬ２０の中温再生器２と第４の再生器４との間の領域では、気液２相流となった冷媒が流れている。
【００７４】
図１０の実施形態では、高温再生器１で発生した冷媒蒸気が流れる蒸気ラインＬ２０は、分岐点ＢＰ−２で、中温再生器２へ連通するラインＬ３０と、第４の再生器４へ連通するラインＬ３２とに分岐しており、ラインＬ３２を流れる水蒸気は、第４の再生器４内の溶液と熱交換を行って再生せしめた後、液相冷媒、気液２相冷媒、気相冷媒のいずれかとなってラインＬ３２−Ａを流れ、直ちに凝縮器５へ送られている。これに対して図１２で示す第１２実施形態では、稀溶液ラインＬ１において、ラインＬ３０−Ａが経由している溶液ドレン熱交換器（第１の溶液ドレン熱交換器）１１と、低温溶液熱交換器８との間の領域に、第２の溶液ドレン熱交換器１１Ａを介装している。そして、第４の再生器４を経由して、液相冷媒、気液２相冷媒、気相冷媒のいずれかとなってラインＬ３２−Ａを流れる冷媒が保有する熱量が、第２の溶液ドレン熱交換器１１Ａを介して稀溶液ラインＬ１内の溶液に供給されて予熱を行う。第２の溶液ドレン熱交換器１１Ａを経由したラインＬ３２−Ａは、凝縮器５へ連通する。
【００７５】
図１２において、排熱ラインＬ５０を流れる排熱流体が保有する熱量を投入するための排熱熱交換器５０は、稀溶液ラインＬ１の、低温溶液熱交換器８と第２の溶液ドレン熱交換器１１Ａとの間の領域に介装されている。
その他の構成及び作用効果については、図１２の実施形態は図１０の実施形態に同様である。
【００７６】
図１３−図１６は、本発明を所謂「リバースフロータイプ」の吸収冷温水機に適用した実施形態を示している。
図１３で示す第１３実施形態では、吸収器７から出て溶液ポンプ４０によりヘッドを付加された稀溶液は、稀溶液ラインＬ１を流れ、低温溶液熱交換器８、中温溶液熱交換器９を経由して、低温再生器３内に滴下される。低温再生器３内で再生、濃縮された溶液は、溶液ポンプ４４でヘッドが付加され、ラインＬ３７を流れ、中温溶液熱交換器９を経由して、中温再生器２内に滴下される。中温再生器２内で再生、濃縮された溶液は、溶液ポンプ４６でヘッドが付加されて、ラインＬ３８を流れ、高温溶液熱交換器１０を経由して、高温再生器１に供給されている。
【００７７】
高温再生器１で発生した蒸気はラインＬ２０を流れ、中温再生器２及び第４の再生器４内の溶液を加熱、再生して、気液２相流或いは液相冷媒としてラインＬ２０−Ａを流れて凝縮器５へ供給される。すなわち、図１３の実施形態においても、高温再生器１で発生した蒸気が保有する熱量の一部が第４の再生器４に供給されている。
【００７８】
中温再生器２で発生した蒸気は、ラインＬ２１を介して低温再生器３に供給される。そして、低温再生器３内の溶液を加熱、再生した後に、気液２相流或いは液相冷媒としてラインＬ２１−Ａを流れて凝縮器５へ送られる。そして、低温再生器３で発生した蒸気はラインＬ２２を介して凝縮器５へ送られ、第４の再生器４で発生した蒸気はラインＬ２３を介して凝縮器５へ送られる。
【００７９】
高温再生器１で再生、濃縮された吸収溶液は、ラインＬ４を介して第４の再生器４に供給され、第４の再生器４で再生、濃縮された後に、ラインＬ７を介して低温溶液熱交換器８を経由して吸収器７に戻される。
【００８０】
図１３において、排熱ラインＬ５０を流れる排熱流体が保有する熱量を投入するための排熱熱交換器５０は、稀溶液ラインＬ１の、低温溶液熱交換器８と中温溶液熱交換器９との間の領域に介装されている。
その他の構成及び作用効果は、図１−図１２の実施形態と同様である。
【００８１】
図１４の実施形態では、高温再生器１で発生した冷媒蒸気が流れる蒸気ラインＬ２０は、分岐点ＢＰ−２で、中温再生器２へ連通するラインＬ３０と、第４の再生器４へ連通するラインＬ３２とに分岐している。また、稀溶液ラインＬ１には、中温溶液熱交換器９と低温再生器３との間の領域に、溶液ドレン熱交換器１１が介装されている。
【００８２】
ラインＬ３０を流れる水蒸気は、中温再生器２内の溶液を加熱、再生せしめ、液相冷媒、気液２相冷媒、気相冷媒のいずれかとなってラインＬ３０−Ａを流れる。そして、溶液ドレン熱交換器１１において、稀溶液ラインＬ１を流れる稀溶液と熱交換を行った後に、凝縮器５へ送られる。一方、ラインＬ３２を流れる水蒸気は、第４の再生器４内の溶液を加熱、再生せしめた後、液相冷媒、気液２相冷媒、気相冷媒のいずれかとなってラインＬ３２−Ａを流れ、凝縮器５へ送られる。
【００８３】
図１４の実施形態においても、高温再生器１で発生した冷媒蒸気を中温再生器２と第４の再生器４とに分配する事により、高温再生器１で発生した蒸気が保有する熱量の一部が第４の再生器４に供給されている。また、中温再生器２内の溶液を再生してラインＬ３０−Ａを流れる冷媒が保有する熱量は、溶液ドレン熱交換器１１で稀溶液ラインＬ１を流れる稀溶液と熱交換を行い予熱するので、高温再生器１において図示しない加熱手段により加えられた熱量が有効に利用される。また、排熱ラインＬ５０を流れる排熱流体が保有する熱量を投入するための排熱熱交換器５０は、稀溶液ラインＬ１の、低温溶液熱交換器８と中温溶液熱交換器９との間の領域に介装される。
その他の構成及び作用効果については、図１３の実施形態と同様である。
【００８４】
図１５で示す第１５実施形態では、高温再生器１で発生した冷媒蒸気はラインＬ２０を流れ、中温再生器２、第４の再生器４を経由して、気液２相流或いは液相冷媒としてラインＬ２０−Ａを流れ、溶液ドレン熱交換器１１を経由して凝縮器５に供給される。（なお図１５において、ラインＬ２０の中温再生器２と第４の再生器４との間の領域では、気液２相流となった冷媒が流れている。）
【００８５】
この溶液ドレン熱交換器１１は、稀溶液ラインＬ１の低温溶液熱交換器８と中温溶液熱交換器９との間の領域に介装されており、稀溶液ラインＬ１の当該領域を流れる稀溶液に対して、ラインＬ２０−Ａを流れる冷媒が保有する熱量を供給して予熱している。
【００８６】
また、排熱ラインＬ５０を流れる排熱流体が保有する熱量を投入するための排熱熱交換器５０は、稀溶液ラインＬ１の、低温溶液熱交換器８と溶液ドレン熱交換器１１との間の領域に介装される。
【００８７】
この点で図１５の実施形態は、図１３の実施形態、すなわち第４の再生器を経由してラインＬ２０−Ａを流れる冷媒が直接凝縮器５へ供給される実施形態、と相違している。その他の構成及び作用効果については、図１５の実施形態は図１３の実施形態と同様である。
【００８８】
図１４の実施形態では、高温再生器１で発生した冷媒蒸気が流れる蒸気ラインＬ２０は、分岐点ＢＰ−２で、中温再生器２へ連通するラインＬ３０と、第４の再生器４へ連通するラインＬ３２とに分岐しており、ラインＬ３２を流れる水蒸気は、第４の再生器４内の溶液と熱交換を行って再生せしめた後、液相冷媒、気液２相冷媒、気相冷媒のいずれかとなってラインＬ３２−Ａを流れ、直ちに凝縮器５へ送られている。そして、稀溶液ラインＬ１の中温溶液熱交換器９と低温再生器３との間の領域には、ラインＬ３０−Ａが経由している溶液ドレン熱交換器（第１の溶液ドレン熱交換器）１１が介装されている。
【００８９】
これに対して図１６で示す第１６実施形態では、稀溶液ラインＬ１において、低温溶液熱交換器８と中温溶液熱交換器９との間の領域に、第２の溶液ドレン熱交換器１１Ａを介装している。そして、第４の再生器４を経由して、液相冷媒、気液２相冷媒、気相冷媒のいずれかとなってラインＬ３２−Ａを流れる冷媒は、第２の溶液ドレン熱交換器１１Ａを経由して凝縮器５へ供給されており、ラインＬ３２−Ａを流れる冷媒が保有する熱量は、第２の溶液ドレン熱交換器１１Ａを介して稀溶液ラインＬ１内の溶液に供給されて、当該稀溶液を予熱する。
【００９０】
図１６において、排熱ラインＬ５０を流れる排熱流体が保有する熱量を投入するための排熱熱交換器５０は、稀溶液ラインＬ１の、低温溶液熱交換器８と第２の溶液ドレン熱交換器１１Ａとの間の領域に介装される。
その他の構成及び作用効果については、図１６の実施形態は図１４の実施形態に同様である。
【００９１】
図１７−図２２は、本発明を所謂「リバース・パラレルフロータイプ」の吸収冷温水機に適用した実施形態を示している。
図１７の第１７実施形態において、吸収器７を出て溶液ポンプ４０でヘッドを付加された稀溶液は、稀溶液ラインＬ１を流れ、低温溶液熱交換器８、中温溶液熱交換器９で予熱された後、分岐点ＢＰ−４において、高温再生器１に連通するラインＬ３９と、低温再生器３に連通するラインＬ４０とに分岐される。
【００９２】
ラインＬ３９を流れる稀溶液は、高温溶液熱交換器１０でさらに予熱された後に高温再生器１に供給される。一方、ラインＬ４０を流れる稀溶液は、低温再生器３内で滴下され、低温再生器３内で再生、濃縮された溶液は、溶液ポンプ４４でヘッドが付加され、ラインＬ３７を流れ、中温溶液熱交換器９を経由して、中温再生器２内に滴下される。中温再生器２内で再生、濃縮された溶液は、溶液ポンプ４６でヘッドが付加されて、ラインＬ３８を流れ、高温溶液熱交換器１０を経由して、高温再生器１に供給される。
【００９３】
ここで、高温再生器１における蒸気発生量を確保するため、図１７の高温溶液熱交換器１０は、３流体熱交換器として構成されている。そして、高温再生器１で加熱、再生されて濃縮されて且つラインＬ４を流れる吸収溶液が保有する熱量を、ラインＬ３９を流れる稀溶液及びラインＬ３８を流れる溶液に供給し、ラインＬ３８、Ｌ３９を流れる溶液を加熱して、高温再生器１で再生し易い様に予熱するのである。
【００９４】
高温再生器１で発生した蒸気はラインＬ２０を流れ、中温再生器２内の溶液を加熱、再生して、気液２相流としてラインＬ２０−Ｂを流れて第４の再生器４に供給される。そして第４の再生器４内の溶液を加熱、再生して、気液２相流或いは液相冷媒としてラインＬ２０−Ａを流れて凝縮器５へ供給される。すなわち、図１７の実施形態においても、高温再生器１で発生した蒸気が保有する熱量の一部が第４の再生器４に供給されている。
【００９５】
中温再生器２で発生した蒸気は、ラインＬ２１を介して低温再生器３に供給される。そして、低温再生器３内の溶液を加熱、再生した後に、気液２相流或いは液相冷媒としてラインＬ２１−Ａを流れて凝縮器５へ送られる。そして、低温再生器３で発生した蒸気はラインＬ２２を介して凝縮器５へ送られ、第４の再生器４で発生した蒸気はラインＬ２３を介して凝縮器５へ送られる。
【００９６】
高温再生器１で再生、濃縮された吸収溶液は、前述した通りラインＬ４を流れ、第４の再生器４に供給され、第４の再生器４で再生、濃縮された後に、ラインＬ７を介して低温溶液熱交換器８を経由して吸収器７に戻される。
【００９７】
図１７において、排熱ラインＬ５０を流れる排熱流体が保有する熱量を投入するための排熱熱交換器５０は、稀溶液ラインＬ１の、低温溶液熱交換器８と中温溶液熱交換器９との間の領域に介装される。
その他の構成及び作用効果は、図１−図１６の実施形態と同様である。
【００９８】
図１８で示す第１８実施形態において、高温再生器１で発生した冷媒蒸気が流れる蒸気ラインＬ２０は、分岐点ＢＰ−２で、中温再生器２へ連通するラインＬ３０と、第４の再生器４へ連通するラインＬ３２とに分岐している。また、稀溶液ラインＬ１には、中温溶液熱交換器９と低温再生器３との間の領域、より詳細には分岐点ＢＰ−４と低温再生器３との間の領域に、溶液ドレン熱交換器１１が介装されている。
【００９９】
ラインＬ３０を流れる水蒸気は、中温再生器２内の溶液を加熱、再生せしめ、液相冷媒、気液２相冷媒、気相冷媒のいずれかとなってラインＬ３０−Ａを流れる。そして、溶液ドレン熱交換器１１において、稀溶液ラインＬ１を流れる稀溶液と熱交換を行った後に、凝縮器５へ送られる。一方、ラインＬ３２を流れる水蒸気は、第４の再生器４内の溶液を加熱、再生せしめた後、液相冷媒、気液２相冷媒、気相冷媒のいずれかとなってラインＬ３２−Ａを流れ、凝縮器５へ送られる。
【０１００】
図１８の実施形態においても、高温再生器１で発生した冷媒蒸気を中温再生器２と第４の再生器４とに分配する事により、高温再生器１で発生した蒸気が保有する熱量の一部が第４の再生器４に供給されている。また、中温再生器２内の溶液を再生してラインＬ３０−Ａを流れる冷媒が保有する熱量は、溶液ドレン熱交換器１１で稀溶液ラインＬ１を流れる稀溶液と熱交換を行い予熱するので、高温再生器１において図示しない加熱手段により加えられた熱量が有効に利用される。また、排熱ラインＬ５０を流れる排熱流体が保有する熱量を投入するための排熱熱交換器５０は、稀溶液ラインＬ１の、低温溶液熱交換器８と中温溶液熱交換器９との間の領域に介装される。
その他の構成及び作用効果については、図１７の実施形態と同様である。
【０１０１】
図１９は第１９実施形態を示している。図１８の第１８実施形態において、溶液ドレン熱交換器１１は、稀溶液ラインＬ１の中温溶液熱交換器９と低温再生器３との間の領域であって、分岐点ＢＰ−４と低温再生器３との間の領域に介装されている。これに対して図１９の第１９実施形態では、溶液ドレン熱交換器１１は、稀溶液ラインＬ１の中温溶液熱交換器９と高温再生器１との間の領域、より具体的には分岐点ＢＰ−４と高温溶液熱交換器１０との間の領域に介装されている。
【０１０２】
図１９においても、排熱ラインＬ５０を流れる排熱流体が保有する熱量を投入するための排熱熱交換器５０は、稀溶液ラインＬ１の、低温溶液熱交換器８と中温溶液熱交換器９との間の領域に介装される。
その他の構成及び作用効果については、図１８の実施形態と同様である。
【０１０３】
図２０は本発明の第２０実施形態を示している。高温再生器１で発生した冷媒蒸気はラインＬ２０を流れ、中温再生器２、第４の再生器４を経由して、気液２相流或いは液相冷媒としてラインＬ２０−Ａを流れ、溶液ドレン熱交換器１１を経由して凝縮器５に供給される。（なお図２０において、ラインＬ２０の中温再生器２と第４の再生器４との間の領域では、気液２相流となった冷媒が流れている。）
【０１０４】
この溶液ドレン熱交換器１１は、稀溶液ラインＬ１の低温溶液熱交換器８と中温溶液熱交換器９との間の領域に介装されており、稀溶液ラインＬ１の当該領域を流れる稀溶液に対して、ラインＬ２０−Ａを流れる冷媒が保有する熱量を供給して予熱している。
【０１０５】
この点で図２０の実施形態は、図１７の実施形態、すなわち第４の再生器４を経由してラインＬ２０−Ａを流れる冷媒が直ちに凝縮器５へ供給される実施形態、と相違している。
【０１０６】
図２０において、排熱ラインＬ５０を流れる排熱流体が保有する熱量を投入するための排熱熱交換器５０は、稀溶液ラインＬ１の、低温溶液熱交換器８と溶液ドレン熱交換器１１の間の領域に介装される。
その他の構成及び作用効果については、図２０の実施形態は図１７の実施形態と同様である。
【０１０７】
図２１で示す第２１実施形態では、稀溶液ラインＬ１において、低温溶液熱交換器８と中温溶液熱交換器９との間の領域に、第２の溶液ドレン熱交換器１１Ａを介装している。高温再生器１で発生した冷媒蒸気が流れる蒸気ラインＬ２０は、分岐点ＢＰ−２で、中温再生器２へ連通するラインＬ３０と、第４の再生器４へ連通するラインＬ３２とに分岐しており、ラインＬ３２を流れる水蒸気は、第４の再生器４を経由して、液相冷媒、気液２相冷媒、気相冷媒のいずれかとなってラインＬ３２−Ａを流れる。そして、ラインＬ３２−Ａを流れる冷媒は、第２の溶液ドレン熱交換器１１Ａを経由して凝縮器５へ供給されており、ラインＬ３２−Ａを流れる冷媒が保有する熱量は、第２の溶液ドレン熱交換器１１Ａを介して稀溶液ラインＬ１内の溶液に供給され、当該稀溶液を予熱する。
【０１０８】
この点で、図１８の実施形態の様に、第４の再生器４内の溶液と熱交換を行って再生せしめた後、液相冷媒、気液２相冷媒、気相冷媒のいずれかとなってラインＬ３２−Ａを流れ、直ちに凝縮器５へ送られている実施形態とは相違する。
【０１０９】
図２１において、排熱ラインＬ５０を流れる排熱流体が保有する熱量を投入するための排熱熱交換器５０は、稀溶液ラインＬ１の、低温溶液熱交換器８と第２の溶液ドレン熱交換器１１Ａの間の領域に介装される。
【０１１０】
その他の構成及び作用効果については、図２１の実施形態は、図１８の実施形態と同様である。
【０１１１】
図２２は第２２実施形態を示している。図２１の第２１実施形態において、溶液ドレン熱交換器（第１の溶液ドレン熱交換器）１１は、稀溶液ラインＬ１の中温溶液熱交換器９と低温再生器３との間の領域であって、分岐点ＢＰ−４と低温再生器３との間の領域に介装されている。これに対して図２２の第２２実施形態では、溶液ドレン熱交換器１１は、稀溶液ラインＬ１の中温溶液熱交換器９と高温再生器１との間の領域、より具体的には分岐点ＢＰ−４と高温溶液熱交換器１０との間の領域に介装されている。
【０１１２】
なお、図２２においても、排熱ラインＬ５０を流れる排熱流体が保有する熱量を投入するための排熱熱交換器５０は、稀溶液ラインＬ１の、低温溶液熱交換器８と第２の溶液ドレン熱交換器１１Ａの間の領域に介装される。
その他の構成及び作用効果については、図２１の実施形態と同様である。
【０１１３】
図２３は本発明の第２３実施形態を示している。シリーズ・パラレルフロータイプの吸収冷温水機に適用された図２３の実施形態では、高温再生器１で発生した蒸気が流れるラインＬ２０において、中温再生器２と第４の再生器４との間の領域であるラインＬ２０−２６に流量調整弁Ｖ１が介装されている。
【０１１４】
ラインＬ２０−２６の領域に流量調整弁Ｖ１を設けたことにより、圧損が存在するため、ラインＬ２０或いはＬ２０−２６において、中温再生器２と第４の再生器４とで消費される蒸気量（冷媒が保有する熱量）の比率を調整することが出来るのである。
【０１１５】
図２３の実施形態はシリーズ・パラレルフロータイプの吸収冷温水機のみが図示されているが、本発明の他の実施形態について、図２３の実施形態（中温再生器２と第４の再生器４とを連通するラインＬ２０に流量調整弁Ｖ１を介装する実施形態）を適用することは可能である。
【０１１６】
なお、図２３において、排熱ラインＬ５０を流れる排熱流体が保有する熱量を投入するための排熱熱交換器５０は、稀溶液ラインＬ１の、低温溶液熱交換器８と中温溶液熱交換器９との間の領域に介装される。
【０１１７】
図２４は本発明の第２４実施形態を示している。シリーズ・パラレルフロータイプの吸収冷温水機に適用された図２４の実施形態では、高温再生器１で発生した蒸気が、ラインＬ２０、分岐点ＢＰ−２を経由して流れるラインＬ３２（第４の再生器４に連通するライン）において、分岐点ＢＰ−２と第４の再生器４との間の領域に流量調整弁Ｖ２が介装されている。
【０１１８】
この流量調整弁Ｖ２を設けたことにより、ラインＬ３０を介して中温再生器２へ供給される蒸気と、ラインＬ３２を介して第４の再生器４へ供給される蒸気との流量比、或いは、それぞれの蒸気（冷媒）が保有する熱量の比率を、好適に調整することが出来る。
【０１１９】
図２４の実施形態はシリーズ・パラレルフロータイプの吸収冷温水機のみが図示されているが、本発明の他の実施形態について、図２４の実施形態（ラインＬ３２に流量調整弁Ｖ２を介装する実施形態）を適用することは可能である。
なお、図２４において、排熱ラインＬ５０を流れる排熱流体が保有する熱量を投入するための排熱熱交換器５０は、稀溶液ラインＬ１の、低温溶液熱交換器８と溶液ドレン熱交換器１１との間の領域に介装される。
【０１２０】
図２５は本発明の第２５実施形態を示している。
シリーズ・パラレルフロータイプの吸収冷温水機に適用された図２５の実施形態では、暖房時には冷暖切換弁を構成する開閉弁Ｖ３を開放することにより、高温再生器１で発生した蒸気はラインＬ２０を流れ、分岐点ＢＰ−５を経由して、ラインＬ１２８を介して蒸発器６に供給され、（冷）温水ラインＬ９内を流れる（冷）温水を加熱する。一方、暖房時には、冷暖切換弁Ｖ３を閉じることにより、図１の実施形態と同様に作動して、冷水ラインＬ９内の冷水を冷却する。
図２５の実施形態はシリーズ・パラレルフロータイプの吸収冷温水機のみが図示されているが、本発明の他の実施形態について、図２５の実施形態（ラインＬ１２８と冷暖切換弁Ｖ３とを設けた実施形態）を適用することは可能である。
【０１２１】
図２５において、排熱ラインＬ５０を流れる排熱流体が保有する熱量を投入するための排熱熱交換器５０は、稀溶液ラインＬ１の、低温溶液熱交換器８と中温溶液熱交換器１１との間の領域に介装される。
なお、図示の実施形態はあくまでも例示であり、本発明の技術的範囲を限定する趣旨の記載ではない旨を付記する。
【０１２２】
【発明の効果】
以上説明した通り、本発明によれば、高温再生器と、中温再生器と、低温再生器に加えて、第４の再生器を有しており、該第４の再生器には、高温再生器で発生した蒸気が保有する熱量の一部が供給されるように構成されている。そのため本発明では、高温再生器の温度を２００℃未満の低い温度に抑える事が出来る。そのため、高温再生器における腐食の可能性が極めて小さくなり、三重効用吸収冷温水機の高効率と、高温再生器の腐食防止とを両立することが出来る。
それに加えて、本発明によれば、排熱を有効利用して、高温再生器における高質燃料の消費量を抑制することが出来る。その結果、吸収冷温水機の効率が更に向上する。
【図面の簡単な説明】
【図１】本発明の第１実施形態を説明するブロック図。
【図２】本発明の第２実施形態を説明するブロック図。
【図３】本発明の第３実施形態を説明するブロック図。
【図４】本発明の第４実施形態を説明するブロック図。
【図５】本発明の第５実施形態を説明するブロック図。
【図６】本発明の第６実施形態を説明するブロック図。
【図７】本発明の第７実施形態を説明するブロック図。
【図８】本発明の第８実施形態を説明するブロック図。
【図９】本発明の第９実施形態を説明するブロック図。
【図１０】本発明の第１０実施形態を説明するブロック図。
【図１１】本発明の第１１実施形態を説明するブロック図。
【図１２】本発明の第１２実施形態を説明するブロック図。
【図１３】本発明の第１３実施形態を説明するブロック図。
【図１４】本発明の第１４実施形態を説明するブロック図。
【図１５】本発明の第１５実施形態を説明するブロック図。
【図１６】本発明の第１６実施形態を説明するブロック図。
【図１７】本発明の第１７実施形態を説明するブロック図。
【図１８】本発明の第１８実施形態を説明するブロック図。
【図１９】本発明の第１９実施形態を説明するブロック図。
【図２０】本発明の第２０実施形態を説明するブロック図。
【図２１】本発明の第２１実施形態を説明するブロック図。
【図２２】本発明の第２２実施形態を説明するブロック図。
【図２３】本発明の第２３実施形態を説明するブロック図。
【図２４】本発明の第２４実施形態を説明するブロック図。
【図２５】本発明の第２５実施形態を説明するブロック図。
【図２６】本発明の吸収冷温水機の作動サイクルを示す圧力−温度−濃度線図。
【図２７】従来の吸収冷温水機の１例を示すブロック図。
【符号の説明】
１…高温再生器
２…中温再生器
３…低温再生器
４…第４の再生器
５…凝縮器
６…蒸発器
７…吸収器
８…低温溶液熱交換器
９、９Ａ…中温溶液熱交換器
１０…高温溶液熱交換器
１１、１１Ａ…溶液ドレン熱交換器
ＢＰ、ＢＰ−２、ＢＰ−３、ＢＰ−４、ＢＰ−５…ラインの分岐点
４０、４２、４４、４６…溶液ポンプ
Ｖ１、Ｖ２…流量調整弁
Ｖ３…冷暖切換弁
５０…排熱熱交換器
Ｌ５０…排熱ライン
【図１】
0003786547.tif 000002
【図２】
0003786547.tif 000003
【図３】
0003786547.tif 000004
【図４】
0003786547.tif 000005
【図５】
0003786547.tif 000006
【図６】
0003786547.tif 000007
【図７】
0003786547.tif 000008
【図８】
0003786547.tif 000009
【図９】
0003786547.tif 000010
【図１０】
0003786547.tif 000011
【図１１】
0003786547.tif 000012
【図１２】
0003786547.tif 000013
【図１３】
0003786547.tif 000014
【図１４】
0003786547.tif 000015
【図１５】
0003786547.tif 000016
【図１６】
0003786547.tif 000017
【図１７】
0003786547.tif 000018
【図１８】
0003786547.tif 000019
【図１９】
0003786547.tif 000020
【図２０】
0003786547.tif 000021
【図２１】
0003786547.tif 000022
【図２２】
0003786547.tif 000023
【図２３】
0003786547.tif 000024
【図２４】
0003786547.tif 000025
【図２５】
0003786547.tif 000026
【図２６】
0003786547.tif 000027
【図２７】
0003786547.tif 000028